(57)【特許請求の範囲】
【請求項１】
塵埃を含んだ空気を電気掃除機に吸い込む電動送風機と、
前記電動送風機が収容される電動送風機ケースと、
前記電動送風機ケースに設けられ、前記電動送風機の径方向に圧縮力を付勢され前記電動送風機を弾性支持する防振支持部と、
前記電動送風機と前記電動送風機ケースとの軸方向に設けられ、前記電動送風機のファンカバー側端部と前記電動送風機ケースとの間、および前記電動送風機の排気側ケース部材側端部と前記電動送風機ケースとの間それぞれに挟まれ、かつ前記電動送風機の軸方向に圧縮力を付勢された一対のコイルバネによって前記電動送風機を弾性支持する軸方向防振支持部とを有することを特徴とする電気掃除機。
【請求項２】
前記一対のコイルバネは前記電動送風機の回転中心線に対して同心状に配置されることを特徴とする請求項１に記載の電気掃除機。
【請求項３】
前記軸方向防振支持部は、
前記電動送風機のファンカバーに形成された環状の段差部と、
前記電動送風機ケースの吸込口側壁部に形成された段差部とに係止されたコイルバネを有することを特徴とする請求項１または２に記載の電気掃除機。
【請求項４】
前記軸方向防振支持部は、
前記電動送風機の吸気口の周縁を覆う整流体の外周部に係止されたコイルバネを有することを特徴とする請求項１または２に記載の電気掃除機。
【発明の詳細な説明】
【技術分野】
【０００１】
本発明は、電動送風機を収容するケースに電動ケースの発生する振動を絶縁する防振支持部を備えた電気掃除機に関する。
【背景技術】
【０００２】
一般に電気掃除機は、掃除機本体に収容された電動送風機の作動によって生じる負圧を利用して、掃除機本体に連通された集塵ホースの先端に設けられた吸込口体から空気とともに床などの被掃除面に溜まった塵埃を吸い込み、掃除機本体に内装された高速分離方式の塵埃除去手段あるいはフィルタで塵埃を捕獲して、被掃除面の掃除を行うものである。
【０００３】
電気掃除機に用いる電動送風機では作動流体である空気中に必ず不必要な圧力変動が引き起こされ、この圧力変動が周囲に伝ぱして騒音になる。例えばファン部の動翼の運動につれて空間には周期的な圧力変動が起こり、この圧力変動が騒音として伝ぱする。また、電動送風機では、サージングなどの流体的な振動と、回転体のアンバランスによる機械的な振動とが生じる。このような電動送風機の騒音や振動を防振する防振支持部の条件は、振幅の小さい位置を充分に柔らかく支持することが望ましい。また、電動送風機の径方向にはその重量、軸方向には電動送風機の作動によって生じる吸引力を支持する必要がある。
【０００４】
そこで、特許文献１には、電動送風機の重心近くと掃除機本体との間に、この掃除機本体に設けた外周リングを介して設置されたばね部材と、モータと掃除機本体との間に空隙を設けて設置された衝撃吸収用の後部弾性体と、ファン部外周と掃除機本体との間に空隙を設けて設置された衝撃吸収用の前弾性体とを用いて、電動送風機を掃除機本体に弾性支持する電気掃除機が記載されている。
【０００５】
図５は、従来の電気掃除機の電動送風機を収容する掃除機本体の部分的な断面図である。
【０００６】
図５に示すように、特許文献１に記載された従来の電気掃除機４０は、掃除機本体２と、掃除機本体２内に形成された電動送風機収容室４２と、引張弾性支持体４３によって弾性支持されて電動送風機収容室４２内に収容された電動送風機１０とを有する。
【０００７】
引張弾性支持体４３は、掃除機本体２に設けられた内周リング４５と、電動送風機１０の重心近くに形成されたファン部端面４６と取付リブ４７との間に設けられた外周リング４８と、一端を内周リング４５に、他端を外周リング４８に固定されて引張力が付勢されたバネ材であるコイルバネ４９とから構成される。電動送風機１０の軸方向と径方向とは、引張弾性支持体４３によって弾性支持される。
【０００８】
電動送風機１０のファン部には、ゴム質の略円筒形状の衝撃吸収用の前弾性体５０が取り付けられる。掃除機本体２の内壁には、固着された環状の前リブ５１と、電動送風機１０の軸方向に突設された端リブ５２とが形成される。前リブ５１および端リブ５２と前弾性体５０との間は空隙５３によって離間される。
【０００９】
電動送風機１０のモータ部１０ｆの軸受ハウジング部１０ｄには、ゴム質の円筒形状の衝撃吸収用の後部弾性体５６が取り付けられる。後部弾性体５６の周囲には、掃除機本体２の内壁から後リブ５７が突設される。後リブ５７と後部弾性体５６との間は空隙５８によって離間される。
【００１０】
電動送風機１０の吸込口１０ａには、吸込口１０ａに連通する孔の縁部に円筒ツバ部５９が形成された円板形状のシール６０が設けられる。掃除機本体２内に形成された集塵部６１と電動送風機収容室４２との仕切り板６２には、シール６０の端部が当接される。
【００１１】
図６は、従来の電気掃除機の電動送風機を弾性支持する弾性支持体の電動送風機の軸方向の特性を示す図である。
【００１２】
図６に示すように、引張弾性支持体４３のコイルバネ４９によって弾性支持された電動送風機１０は、その軸方向に加わる力と変位との関係が非線形な特性になる。すなわち、電動送風機１０の軸方向に加えられた微小な振動に対してはコイルバネ４９によって柔軟に支持され、電動送風機１０の吸引力によって生じる静的な力や掃除機本体２に落下衝撃などによる大きな力に対しては強く支持される。
【００１３】
また、特許文献２には、掃除機本体に吸気口を上方に向けて収容された電動送風機と、電動送風機のモータと掃除機本体との間に設置された衝撃吸収用の後部弾性体と、電動送風機のファン部外周と掃除機本体との間に設置された衝撃吸収用の前弾性体とを用い、前弾性体または後部弾性体のいずれかにコイルバネを用い、他方の弾性体には軟質なゴム材等を用いて電動送風機を掃除機本体に弾性支持する電気掃除機が記載されている。
【特許文献１】特開平５−８４１９４号公報
【特許文献２】特開２００３−１３５３３８号公報
【発明の開示】
【発明が解決しようとする課題】
【００１４】
特許文献１に記載の従来の電気掃除機の電動送風機は、引張力を付勢されたコイルバネによって掃除機本体内に引張弾性支持され、その径方向に働く力は柔軟に支持され、他方その軸方向に働く力は軸方向の変位の増加に伴い強く支持される。したがって、電動送風機の作動によって生じる振動が掃除機本体に伝達されるのを防ぐことができる。
【００１５】
また、特許文献２に記載の従来の電気掃除機の電動送風機は、吸込口を上方に向けられて掃除機本体内に弾性支持され、その径方向、すなわち掃除機本体の水平方向に働く力は減衰率が大きいゴム材等の弾性体によって支持され、他方その軸方向、すなわち掃除機本体の上下方向に働く力は減衰率が小さいコイルバネによって弾性支持される。
【００１６】
ここで、騒音や振動の防振の観点では、防振支持部を構成するコイルバネのバネ定数は小さいことが好ましい。他方、電動送風機の作動によって生じる吸引力に抗して電動送風機の軸方向を支持する部材には所要の剛性を必要とする。しかし、特許文献１に記載の従来の電気掃除機の電動送風機では、電動送風機を保持するコイルバネのバネ定数を小さくすると、電動送風機の作動によって生じる吸引力による電動送風機の軸方向の変位を保持するための十分な空間を必要とする。すなわち、電動送風機を収容する空間を小さくすることができない。
【００１７】
特許文献２に記載の従来の電気掃除機の電動送風機では、その径方向の振動の防振がゴム材等の弾性体によって行われるが、ゴム材等の弾性体は減衰率が大きく、所要の周波数域の振動の防振には効果があるが、他の周波数域では減衰率が大きいほど振動の伝達率が大きくなる。
【００１８】
また、例えば電動送風機を電動送風機ケースに収容し、この電動送風機ケースを電気掃除機本体内に収容することで電動送風機の作動による騒音と振動とを防音、防振する場合がある。この場合、電動送風機ケースが収容される掃除機本体の小型化のためには、電動送風機ケースも小型化が図られる必要があるが、特許文献１、２に記載の従来の電気掃除機の電動送風機の防振支持部によっては、防振と小型化との両立が困難である。
【００１９】
本発明は、掃除機本体に収容される電動送風機を弾性支持して、電動送風機の作動による騒音と振動を防音、防振でき、かつ電動送風機が収容される空間を小型化できる電気掃除機を提案する。
【課題を解決するための手段】
【００２０】
前記の課題を解決するため本発明では、塵埃を含んだ空気を電気掃除機に吸い込む電動送風機と、前記電動送風機が収容される電動送風機ケースと、前記電動送風機ケースに設けられ、前記電動送風機の径方向に圧縮力を付勢され前記電動送風機を弾性支持する防振支持部と、前記電動送風機と前記電動送風機ケースとの軸方向に設けられ、前記電動送風機のファンカバー側端部と前記電動送風機ケースとの間、および前記電動送風機の排気側ケース部材側端部と前記電動送風機ケースとの間それぞれに挟まれ、かつ前記電動送風機の軸方向に圧縮力を付勢された一対のコイルバネによって弾性支持する軸方向防振支持部とを有することを特徴とする。
【発明の効果】
【００２１】
本発明によれば、掃除機本体に収容される電動送風機を弾性支持して、電動送風機の作動による騒音と振動を防音、防振でき、かつ電動送風機が収容される空間を小型化できる電気掃除機を提案することができる。
【発明を実施するための最良の形態】
【００２２】
本発明に係る電気掃除機の実施形態について添付図面を参照して説明する。
【００２３】
［第１の実施形態］
本発明に係る電気掃除機の第１実施形態について、図１から図３を参照して説明する。
【００２４】
図１は、本発明の第１実施形態に係る電気掃除機の外観を示した図である。
【００２５】
図１に示すように、本実施形態に係る電気掃除機１は、掃除機本体２と、掃除機本体２に設けられた接続口２ａに一端が着脱白在に接続された集塵ホース３と、集塵ホース３の他端に一端が設けられた手元操作管４と、手元操作管４の他端に一端が着脱自在に接続された延長管５と、延長管５の他端に着脱自在に接続された吸込口体６とを備える。
【００２６】
手元操作管４には操作部４ａが設けられ、操作部４ａには掃除機本体２に収容された電動送風機１０の駆動を停止する切スイッチ４ｂや電動送風機１０の送風力を設定する強弱スイッチ４ｃなどが設けられる。
【００２７】
吸込口体６には、下面に塵埃を吸引する吸込開口（図示省略）が形成され、吸込口体６内部に形成された吸込室（図示省略）に連通される。この吸込室は延長管５と手元操作管４と集塵ホース３とを介して接続口２ａから掃除機本体２内へ連通される。
【００２８】
掃除機本体２は、その内部に収容され、接続口２ａを介して吸込口体６に負圧を作用させる電動送風機１０と、電動送風機１０の生じた負圧によって空気とともに吸い込んだ塵埃を空気から分離して集塵する着脱可能な塵埃分離集塵ユニット（図示省略）と、この塵埃分離集塵ユニットに塵埃が捕集された空気を電動送風機１０の排気風として掃除機本体２の外部に排気する排気口（図示省略）とを備える。
【００２９】
図２は、本発明の第１実施形態に係る電気掃除機の電動送風機を収容する電動送風機ケースと電動送風機とを部分的に切り欠いて示した斜視図である。
【００３０】
なお、図２に示された電動送風機１０は、そのケーシングのみ示している。
【００３１】
図２に示すように、電気掃除機１の電動送風機１０は、掃除機本体２に収容された電動送風機ケース１２内に弾性支持体１３によって圧縮弾性支持される。
【００３２】
電動送風機ケース１２は、吸込側ケース部材１５と、排気側ケース部材１６とから構成される。
【００３３】
吸込側ケース部材１５は、略円筒形状に形成され、掃除機本体２と電動送風機１０の吸込口１０ａとを連通させる孔を有するシール部材１７が嵌め込まれたシール部材取付孔１２ａが形成された吸込口側壁部１２ｂを一端に有し、他端が開放される。
【００３４】
吸込口側壁部１２ｂと電動送風機１０の吸気口１０ａが形成されたファンカバー１０ｂとの間には、圧縮力ｆが付勢されたコイルバネ１８が挟持される。電動送風機１０のファンカバー１０ｂには、電動送風機１０の遠心ファン（図示省略）外周に対向させて形成された環状の段差部１０ｃが形成される。電動送風機ケース１２の吸込口側壁部１２ｂには、電動送風機１０に形成された段差部１０ｃに対応させた段差部１２ｃが形成される。コイルバネ１８の電動送風機１０側の端部は、段差部１０ｃに係止され、コイルバネ１８の吸込側ケース部材１５側の端部は、段差部１２ｃに係止される。
【００３５】
排気側ケース部材１６は、軸直交方向断面が略方形の管状に形成され、電動送風機１０のモータ部のロータを回動可能に軸支する軸受（図示省略）が収容される軸受ハウジング部１０ｄが、圧縮力ｆが付勢されたモータ支持部コイルバネ１９を介して弾性支持される軸受用挿入凸部１２ｄが突設された排気口側壁部１２ｅを一端に有し、他端が開放される。排気側ケース部材１６の側壁は、電動送風機１０の排気口１０ｅと離間させて開口されたケース排気口１２ｆを有する。
【００３６】
コイルバネ１８とモータ支持部コイルバネ１９とは、電動送風機１０の軸方向変位を弾性支持して振動を絶縁する軸方向防振支持部であって、コイルバネ１８とモータ支持部コイルバネ１９とによって、電動送風機ケース１２内に収容された電動送風機１０の軸方向が支持される。
【００３７】
すなわち、電動送風機１０は、コイルバネ１８によって、電動送風機１０の作動によって生じる吸引力に抗して電動送風機１０の軸方向変位が支持され、かつ電動送風機１０の作動によって生じる軸方向の振動が防振される。さらに、電動送風機１０の非作動時は、コイルバネ１８とモータ支持部コイルバネ１９とによって、電動送風機１０の軸方向変位が弾性支持される。
【００３８】
電動送風機ケース１２は、シール部材取付孔１２ａとケース排気口１２ｆとに設けられたゴム質の円筒状の保持部材（図示省略）によって掃除機本体２に保持されて収容される。電動送風機ケース１２には、ＡＢＳなどの樹脂が使用される。
【００３９】
吸込側ケース部材１５の開口側端部には、吸込側ケース部材１５の円筒状の胴部と、排気側ケース部材１６の略方形の管状に形成された胴部との断面形状の差を封止させる吸込側ケース鍔部１５ａが形成される。吸込側ケース部材１５の吸込側ケース鍔部１５ａの周縁から長手軸方向に突設された吸込側ケース結合部２０と、排気側ケース部材１６の開口端部の一端に形成された排気側ケース結合部２１とによって、吸込側ケース部材１５と排気側ケース部材１６とが一体的に嵌合される。また、排気側ケース部材１６は吸込側ケース部材１５に螺着される。
【００４０】
排気側ケース部材１６の軸直交方向断面が略方形の管状に形成された胴部は、排気側ケース結合部２１に連続し、吸込側ケース部材１５の円筒状の胴部の直径と同等な辺の長さに形成された大径筒部２２と、大径筒部２２に連続させて形成された小径筒部２３とから構成される。大径筒部２２と小径筒部２３との間には、排気側ケース部材１６の開放された端部に対向する方形枠状の段差面２４が形成される。弾性支持体１３は、排気側ケース部材１６の段差面２４と、吸込側ケース部材１６の開口側端部に形成された吸込側ケース鍔部１５ａとの間に挟持される。
【００４１】
したがって、排気側ケース部材１６の大径筒部２２によって弾性支持体１３の径方向変位が拘束され、排気側ケース部材１６の段差面２４と吸込側ケース結合部２０の吸込側ケース鍔部１５ａとによって弾性支持体１３の軸方向変位が拘束される。
【００４２】
弾性支持体１３は、電動送風機１０の発生させる振動を絶縁する防振支持部であって、電動送風機ケース１２に設けられた内周リング２８と、電動送風機１０の重心近くに設けられた外周リング２９と、一端を内周リング２８に、他端を外周リング２９に固定されて圧縮力Ｆが付勢された弾性支持部材であるコイルバネ３０とから構成される。電動送風機１０の軸方向と径方向とは、弾性支持体１３によって弾性支持される。
【００４３】
シール部材１７は、２つの截頭円錐中空体の小口径側をつき合わせて構成され、２つの截頭円錐中空体のつき合わせ部分である小口径部１７ａが、電動送風機ケース１２の吸込口側壁部１２ｂに形成されたシール部材取付孔１２ａに嵌め込まれる。シール部材１７の一方の截頭円錐中空体の大口径開口部１７ｂには鍔が形成され、電動送風機１０の吸込口１０ａの周縁部に当接される。シール部材１７の他方の截頭円錐中空体の大口径開口部１７ｃには鍔が形成され、塵埃分離集塵ユニットに連通された掃除機本体２の連通路（図示省略）の周縁部に当接される。シール部材１７の小口径部１７ａに形成された通気路部１７ｄによって掃除機本体２の開口と電動送風機１０の吸込口１０ａとが連通される。すなわち、シール部材１７は、掃除機本体２の連通路と電動送風機１０の吸込口１０ａとが連通される風路を構成する。
【００４４】
本実施形態に係る弾性支持体１３では、コイルバネ３０に圧縮力Ｆを作用させて電動送風機１０を支持するため、コイルバネ３０を係止させる内周リング２８と外周リング２９との離間距離は、同じ線径のコイルバネに引張力を作用させて電動送風機１０を支持する場合に必要な離間距離に比べて狭く構成することができる。すなわち、電動送風機１０と電動送風機ケース１２との離間距離を極力狭く構成し、電動送風機ケース１２の外径を小さくできるので電動送風機ケース１２の小型化、軽量化が可能になる。
【００４５】
図３は、本発明の第１実施形態に係る電気掃除機の電動送風機を収容する電動送風機ケースと電動送風機とを部分的に切り欠いて示した斜視図である。
【００４６】
図３に示すように、弾性支持体１３の内周リング２８は、電動送風機１０のモータ部１０ｆの外周に周設される。内周リング２８の外面には、コイルバネ３０が係止される凸部２８ａが半径方向に突設される。
【００４７】
弾性支持体１３の外周リング２９は、排気側ケース部材１６の大径筒部２２の内周に周設され、排気側ケース部材１６の段差面２４と、吸込側ケース部材１６の開口側端部に形成された吸込側ケース鍔部１５ａとの間に挟持される。外周リング２９は、環状に形成された補強リング部２９ａと、補強リング部２９ａの円弧から排気側ケース部材１６の略方形の大径筒部２２の角部に突設され、コイルバネ３０が係止される係合凹部２９ｂとから構成される。排気側ケース部材１６の大径筒部２２の角部には、係合凹部２９ｂが挟持されるリブ２２ａが形成される。外周リング２９には、耐熱性部材として金属部材、例えば帯状鉄板や耐熱性合成樹脂、耐熱性強化合成樹脂が用いられる。
【００４８】
外周リング２９に設けられた係合凹部２９ｂと、内周リング２８に設けられた凸部２８ａとは、離間させて対向される。
【００４９】
弾性支持体１３のコイルバネ３０は、内周リング２８と外周リング２９との間に所要の本数、例えば４本が放射状に等間隔に離間されて設けられる。コイルバネ３０には、圧縮力Ｆが付勢され、外周リング２９に設けられた係合凹部２９ｂと、内周リング２８に設けられた凸部２８ａとに係止される。すなわち、電動送風機１０は、電動送風機１０の径方向に圧縮力Ｆを付勢されたコイルバネ３０によって内周リング２８と外周リング２９とを介して電動送風機ケース１２内に弾性支持される。コイルバネ３０の代わりに、内周リング２８と外周リング２９との間に圧縮力Ｆを付勢可能な板バネ、トーションバーなどの他の形式のバネや弾性体を用いて弾性支持体１３を構成しても良い。
【００５０】
電動送風機ケース１２を介さずに掃除機本体２内に直接的に電動送風機１０を弾性支持させる場合には、防振支持部である弾性支持体１３の外周リング２９が掃除機本体２内に設けられ、塵埃分離集塵ユニットに連通された掃除機本体２の連通路の周縁部と電動送風機１０との間に圧縮力ｆが付勢されたコイルバネ１８が挟持され、電動送風機１０の軸受ハウジング部１０ｄと掃除機本体２に形成された電動送風機保持リブ（図示省略）との間に圧縮力ｆが付勢されたモータ支持部コイルバネ１９が挟持されることで、本実施形態に係る電気掃除機１と同様な効果を得る。
【００５１】
本実施形態に係る電気掃除機１によれば、電動送風機１０の防振支持部を構成するコイルバネ３０のバネ定数は小さく構成し、他方、電動送風機の作動によって生じる吸引力に抗して電動送風機の軸方向を支持する部材として、軸方向防振支持部であるコイルバネ１８とモータ支持部コイルバネ１９とのバネ定数を所要に構成することができる。すなわち、電気掃除機１では、電動送風機１０の防振支持部を構成するコイルバネ３０のバネ定数を小さくしても、電動送風機１０の作動によって生じる吸引力による電動送風機１０の軸方向の変位を支持するコイルバネ１８とモータ支持部コイルバネ１９とのバネ定数を所要に構成して電動送風機を収容する空間を小さくすることができる。
【００５２】
また、本実施形態に係る電気掃除機１によれば、その径方向の振動の防振は、コイルバネ３０によって構成される弾性支持体１３によって行われ、コイルバネ３０はゴム材等の弾性体に比べて減衰率が小さく、広い周波数域の振動の防振に効果がある。
【００５３】
さらに、本実施形態に係る電気掃除機１によれば、その軸方向の振動の防振は、コイルバネ１８によって行われ、コイルバネ１８はゴム材等の弾性体に比べて減衰率が小さく、広い周波数域の振動の防振に効果がある。
【００５４】
すなわち、本実施形態に係る電気掃除機１によれば、電動送風機ケース１２が収容される掃除機本体２の小型化のために、電動送風機ケース１２の小型化と、弾性支持体１３による防振との両立が可能である。
【００５５】
したがって、本実施形態に係る電気掃除機１によれば、掃除機本体２に収容される電動送風機１０を弾性支持して、電動送風機１０の作動による騒音と振動を防音、防振でき、かつ電動送風機１０が収容される空間を小型化できる。
【００５６】
［第２の実施形態］
本発明に係る電気掃除機の第２実施形態について、図４を参照して説明する。
【００５７】
図４は、本発明の第２実施形態に係る電気掃除機の電動送風機を収容する電動送風機ケースと電動送風機とを部分的に切り欠いて示した斜視図である。
【００５８】
この電気掃除機１Ａにおいて第１実施形態の電気掃除機１と同じ構成には同一の符号を付し、重複する説明は省略する。
【００５９】
図４に示すように、電気掃除機１Ａの電動送風機ケース１２Ａの吸込口側壁部１２ｂと、電動送風機１０の吸気口１０ａが形成されたファンカバー１０ｂとの間には、圧縮力ｆが付勢されたコイルバネ１８Ａが挟持される。電動送風機１０のファンカバー１０ｂには、吸気口１０ａに係止される鍔部が形成され、吸気口１０ａの周縁を覆うディフューザ３２が設けられる。コイルバネ１８Ａの電動送風機１０のファンカバー１０ｂ側の端部は、整流体３２の外周部に係止される。
【００６０】
コイルバネ１８Ａとモータ支持部コイルバネ１９とは、電動送風機１０の軸方向変位を弾性支持して振動を絶縁する軸方向防振支持部であって、コイルバネ１８Ａとモータ支持部コイルバネ１９とによって、電動送風機ケース１２内に収容された電動送風機１０の軸方向が支持される。
【００６１】
コイルバネ１８Ａは、電動送風機１０の吸気口１０ａ、もしくはシール部材１７によって構成される掃除機本体２の連通路と電動送風機１０の吸込口１０ａとが連通される風路の周縁に近接させて形成される。コイルバネ１８Ａのバネ定数は、コイルバネ１８Ａの外径に反比例するので、本実施形態に係るコイルバネ１８Ａでは、バネ定数を大きくすることが容易であり、電動送風機１０の作動によって生じる吸引力による電動送風機１０の軸方向の変位を支持するコイルバネ１８Ａの変位量を小さくして電動送風機ケース１２Ａの小型化を図ることができる。
【００６２】
すなわち、電動送風機１０は、コイルバネ１８Ａによって、電動送風機１０の作動によって生じる吸引力に抗して電動送風機１０の軸方向変位が支持され、かつ電動送風機１０の作動によって生じる軸方向の振動が防振される。さらに、電動送風機１０の非作動時は、コイルバネ１８Ａとモータ支持部コイルバネ１９とによって、電動送風機１０の軸方向変位が弾性支持される。
【００６３】
シール部材１７の一方の截頭円錐中空体の大口径開口部１７ｂには鍔が形成され、電動送風機１０の吸込口１０ａの周縁を覆うディフューザ３２に当接される。また、シール部材１７の大口径開口部１７ｂに形成された鍔は、ディフューザ３２の周縁部に沿って、電動送風機１０のファンカバー１０ｂに当接させ、この鍔をコイルバネ１８Ａの電動送風機１０のファンカバー１０ｂ側の端部と電動送風機１０のファンカバー１０ｂとに挟持させて、シール部材１７の大口径開口部１７ｂのシール性を向上させることもできる。
【００６４】
電動送風機ケース１２Ａを介さずに掃除機本体２内に直接的に電動送風機１０を弾性支持させる場合には、防振支持部である弾性支持体１３の外周リング２９が掃除機本体２内に設けられ、塵埃分離集塵ユニットに連通された掃除機本体２の連通路の周縁部と電動送風機１０との間に圧縮力ｆが付勢されたコイルバネ１８Ａが挟持され、電動送風機１０の軸受ハウジング部１０ｄと掃除機本体２に形成された電動送風機保持リブ（図示省略）との間に圧縮力ｆが付勢されたモータ支持部コイルバネ１９が挟持されることで、本実施形態に係る電気掃除機１Ａと同様な効果を得る。
【００６５】
本実施形態に係る電気掃除機１Ａによれば、電動送風機１０の防振支持部を構成するコイルバネ３０のバネ定数は小さく構成し、他方、電動送風機の作動によって生じる吸引力に抗して電動送風機の軸方向を支持する部材として、軸方向防振支持部であるコイルバネ１８Ａとモータ支持部コイルバネ１９とのバネ定数を所要に構成することができる。すなわち、電気掃除機１Ａでは、電動送風機１０の防振支持部を構成するコイルバネ３０のバネ定数を小さくしても、電動送風機１０の作動によって生じる吸引力による電動送風機１０の軸方向の変位を支持するコイルバネ１８Ａとモータ支持部コイルバネ１９とのバネ定数を所要に構成して電動送風機を収容する空間を小さくすることができる。
【００６６】
また、本実施形態に係る電気掃除機１Ａによれば、その軸方向の振動の防振は、コイルバネ１８Ａによって行われ、コイルバネ１８Ａはゴム材等の弾性体に比べて減衰率が小さく、広い周波数域の振動の防振に効果がある。
【００６７】
すなわち、本実施形態に係る電気掃除機１Ａによれば、電動送風機ケース１２Ａが収容される掃除機本体２の小型化のために、電動送風機ケース１２Ａの小型化と、弾性支持体１３による防振との両立が可能である。
【００６８】
したがって、本実施形態に係る電気掃除機１Ａによれば、掃除機本体２に収容される電動送風機１０を弾性支持して、電動送風機１０の作動による騒音と振動を防音、防振でき、かつ電動送風機１０が収容される空間を小型化できる。
【図面の簡単な説明】
【００６９】
【図１】本発明の第１実施形態に係る電気掃除機の外観を示した図。
【図２】本発明の第１実施形態に係る電気掃除機の電動送風機を収容する電動送風機ケースと電動送風機とを部分的に切り欠いて示した斜視図。
【図３】本発明の第１実施形態に係る電気掃除機の電動送風機を収容する電動送風機ケースと電動送風機とを部分的に切り欠いて示した斜視図。
【図４】本発明の第２実施形態に係る電気掃除機の電動送風機を収容する電動送風機ケースと電動送風機とを部分的に切り欠いて示した斜視図。
【図５】従来の電気掃除機の電動送風機を収容する掃除機本体の部分的な断面図。
【図６】従来の電気掃除機の電動送風機を弾性支持する弾性支持体の電動送風機の軸方向の特性を示す図。
【符号の説明】
【００７０】
１、１Ａ  電気掃除機
２  掃除機本体
２ａ  接続口
３  集塵ホース
４  手元操作管
４ａ  操作部
４ｂ  切スイッチ
４ｃ  強弱スイッチ
５  延長管
６  吸込口体
１０  電動送風機
１０ａ  吸込口
１０ｂ  ファンカバー
１０ｃ  段差部
１０ｄ  軸受ハウジング部
１０ｅ  排気口
１０ｆ  モータ部
１２、１２Ａ  電動送風機ケース
１２ａ  シール部材取付孔
１２ｂ  吸込口側壁部
１２ｃ  段差部
１２ｄ  軸受用挿入凸部
１２ｅ  排気口側壁部
１２ｆ  ケース排気口
１３  弾性支持体
１５  吸込側ケース部材
１５ａ  吸込側ケース鍔部
１６  排気側ケース部材
１７  シール部材
１７ａ  小口径部
１７ｂ  大口径開口部
１７ｃ  大口径開口部
１７ｄ  通気路部
１８、１８Ａ  コイルバネ
１９  モータ支持部コイルバネ
２０  吸込側ケース結合部
２１  排気側ケース結合部
２２  大径筒部
２２ａ  リブ
２３  小径筒部
２４  段差面
２８  内周リング
２８ａ  凸部
２９  外周リング
２９ａ  補強リング部
２９ｂ  係合凹部
３０  コイルバネ
３２  整流体
４０  従来の電気掃除機
４２  電動送風機収容室
４３  引張弾性支持体
４５  内周リング
４６  ファン部端面
４７  取付リブ
４８  外周リング
４９  コイルバネ
５０  前弾性体
５１  前リブ
５２  端リブ
５３  空隙
５６  後部弾性体
５７  後リブ
５８  空隙
５９  円筒ツバ部
６０  シール
６１  集塵部
６２  仕切り板
【図１】
0005416902.tif 000002
【図２】
0005416902.tif 000003
【図３】
0005416902.tif 000004
【図４】
0005416902.tif 000005
【図５】
0005416902.tif 000006
【図６】
0005416902.tif 000007